(57)【特許請求の範囲】
【請求項１】
1次巻線と2次巻線を磁気結合するトランスと、
第1の電源及び前記1次巻線に対して電気的に並列接続される第1のスイッチング回路と、
第2の電源及び前記2次巻線に対して電気的に並列接続される第2のスイッチング回路と、
前記第1のスイッチング回路及び前記第2のスイッチング回路を制御する制御回路と、を備えた双方向DC-DCコンバータであって、
前記制御回路は、前記第1の電源から電力を供給して前記1次巻線の電圧を上昇させるように前記第1のスイッチング回路を制御し、その後所定期間が経過した後に前記トランスを介して前記第２の電源から前記第１の電源へ電力を送るように前記第２のスイッチング回路を制御する双方向DC-DCコンバータ。
【請求項２】
1次巻線と2次巻線を磁気結合するトランスと、
第1の電源及び前記1次巻線に対して電気的に並列接続される第1のスイッチング回路と、
第2の電源及び前記2次巻線に対して電気的に並列接続される第2のスイッチング回路と、
前記第1のスイッチング回路及び前記第2のスイッチング回路を制御する制御回路と、
前記第1の電源と並列接続された電力を蓄える第1の平滑コンデンサと、を備え、
前記制御回路は前記トランスを介して前記第2の電源から前記第1の電源ヘ電力を送る前に、
前記第1の電源または前記第1のコンデンサから電力を供給して前記1次巻線の電圧を上昇させるように前記第1のスイッチング回路を制御する双方向DC-DCコンバータであって、
更に前記第1の平滑コンデンサと前記第1のスイッチング回路との間に、カソードが前記第1の電源の正極に向くように直列に挿入された第1のダイオードと、前記第1のダイオードに並列接続された第1のスイッチとを備え、
前記制御回路は、前記第1の電源から前記第2の電源ヘ電力を送る場合には、前記第1のスイッチング回路のスイッチング素子をオン状態にし、
前記制御回路は、前記第2の電源から前記第1の電源ヘ電力を送る場合には、前記第1のスイッチング回路のスイッチング素子をオン状態とオフ状態を切り替える双方向DC-DCコンバータ。
【請求項３】
請求項1に記載の双方向DC-DCコンバータであって、
前記第1の電源と並列接続された電力を蓄える第1の平滑コンデンサと、を備え、
前記第1のコンデンサに蓄えられた電力により前記1次巻線の電圧を上昇させるように、前記第1のスイッチング回路を制御する双方向DC-DCコンバータ。
【請求項４】
請求項１ないし３のいずれかに記載の双方向DC-DCコンバータであって、
前記第2のスイッチング回路は、前記第2の電源に流れる電流を平滑する平滑リアクトルを備え、
前記第2のスイッチング回路が備えたスイッチング素子の状態を切り替えて、前記第2の電源の電力を前記2次巻線に供給する時に、前記平滑リアクトルに蓄積した前記第2の電源のエネルギーを放出する双方向DC-DCコンバータ。
【請求項５】
請求項1ないし４に記載のいずれかの双方向DC-DCコンバータであって、
前記第1のスイッチング回路は、第１スイッチング素子（H1）と第２スイッチング素子（H2）とを直列に接続した第1のスイッチングレッグと、第３スイッチング素子（H3）と第４スイッチング素子（H4）とを直列に接続した第2のスイッチングレッグと、を有し、
前記第1のスイッチングレッグは、第2のスイッチングレッグに並列接続されており、
前記第1のスイッチングレッグと前記第2のスイッチングレッグの両端間を直流端子間とし、前記第１スイッチング素子（H1）と前記第２スイッチング素子（H2）との直流接続点と、前記第３スイッチング素子（H3）と前記第４スイッチング素子（H4）との直流接続点との間を交流端子間とする双方向DC-DCコンバータ。
【請求項６】
請求項３に記載の双方向DC-DCコンバータであって、
前記第1の平滑コンデンサと前記第1のスイッチング回路との間に、カソードが前記第1の電源の正極に向くように直列に挿入された第1のダイオードと、前記第1のダイオードに並列接続された第1のスイッチとを備え、
前記制御回路は、前記第1の電源から前記第2の電源ヘ電力を送る場合には、前記第1のスイッチング回路のスイッチング素子をオン状態にし、
前記制御回路は、前記第2の電源から前記第1の電源ヘ電力を送る場合には、前記第1のスイッチング回路のスイッチング素子をオン状態とオフ状態を切り替える双方向DC-DCコンバータ。
【請求項７】
請求項６に記載の双方向DC-DCコンバータであって、
前記第1のスイッチング回路のスイッチング素子は、半導体素子である双方向DC-DCコンバータ。
【請求項８】
請求項1ないし７に記載のいずれかの双方向DC-DCコンバータであって、
前記1次巻線及び/又は前記2次巻線に直列に挿入されたリアクトルを備えた双方向DC-DCコンバータ。
【請求項９】
請求項５に記載の双方向DC-DCコンバータであって、
前記2次巻線は、第1の2次巻線と、第2の2次巻線と、当該第1の2次巻線の一端と当該第2の2次巻線の一端とを接続する接続体とにより構成され、
前記第2のスイッチング回路は、平滑リアクトルと、第5のスイッチング素子と、第6のスイッチング素子とにより構成され、
前記第1の2次巻線の他端に前記第5のスイッチング素子の一端を接続し、
前記第2の2次巻線の他端に前記第6のスイッチング素子の一端を接続し、
前記第5のスイッチング素子の他端と前記第6のスイッチング素子の他端とを接続し、
前記第1、第2の2次巻線の接続点に前記平滑リアクトルの一端を接続し、
前記平滑リアクトルの他端と前記第5のスイッチング素子と第6のスイッチング素子の接続点間を直流端子間とする双方向DC-DCコンバータ。
【請求項１０】
請求項５に記載の双方向DC-DCコンバータであって、
前記第2のスイッチング回路は、第1の平滑リアクトルと、第2の平滑リアクトルと、第5のスイッチング素子と、第6のスイッチング素子と、当該第1の平滑リアクトルの一端と当該第2の平滑リアクトルの一端との接続体と、当該第5のスイッチング素子の一端と当該第6のスイッチング素子の一端との接続体とを備え、
前記第5のスイッチング素子の他端と前記第1の平滑リアクトルの他端を接続し、
前記第6のスイッチング素子の他端と前記第1の平滑リアクトルの他端を接続し、
前記第5のスイッチング素子の他端と記第6のスイッチング素子の他端との間を交流端子間とし、前記第1の平滑リアクトルと前記第2の平滑リアクトルの接続点と、前記第5のスイッチング素子と前記第6のスイッチング素子の接続点との間を直流端子間とする双方向DC-DCコンバータ。
【請求項１１】
請求項９または１０に記載の双方向DC-DCコンバータであって、
前記第1ないし第6のスイッチング素子は、MOSFETである双方向DC-DCコンバータ。
【請求項１２】
請求項1ないし１１に記載のいずれかの双方向DC-DCコンバータであって、
前記1次巻線及び/又は前記2次巻線に直列に挿入されたコンデンサを備える双方向DC-DCコンバータ。
【請求項１３】
請求項1ないし１２に記載のいずれかの双方向DC-DCコンバータを搭載する電源システムを備えた自動車。 
【発明の詳細な説明】
【技術分野】
【０００１】
本発明は双方向DC-DCコンバータ、これを用いた電源システム及び当該電源システムを用いた自動車に関し、特に自動車に搭載される双方向DC-DCコンバータに関する。
【背景技術】
【０００２】
近年、化石燃料の枯渇や地球環境問題の悪化を背景として、ハイブリッド自動車や電気自動車のような、電気エネルギーを利用した自動車への関心が高まっており、実用化されている。
【０００３】
このような電気エネルギーを用いた自動車は、車輪を駆動するためのモータに電力を供給するための高圧バッテリ電圧を降圧して、必要な電力を低圧の電気機器へ供給する電力変換装置が備えられることが多い。この低圧の電気機器の例として、エアコンやオーディオ、自動車のコントローラー等がある。低圧の電気機器に高圧バッテリから電力を供給する電力変換装置には、一般にDC-DCコンバータが用いられる。
【０００４】
また、DC-DCコンバータには降圧動作だけではなく、昇圧動作も可能である双方向DC-DCコンバータが求められている。これは高圧バッテリが放電してしまった場合に、低圧バッテリから電力を供給し、高圧バッテリを充電することで、高圧側機器を動作可能な状態にするために用いられている。このように電圧が異なるバッテリ間で電力を融通できれば、車両の電源システムの信頼性が向上し、また電源システムの設計自由度を増やすことができる。
【０００５】
そこで、電圧が異なる2つの電源間で双方向に電力を変換する双方向DC-DCコンバータが特開2002−165448号公報（特許文献1）に開示されている。このコンバータは、高圧側の回路と低圧側の回路とをトランスを介して接続している。高圧側回路のスイッチング素子を動作させることで、高圧側電源から低圧側電源へ電力を供給し、低圧側回路のスイッチング素子を動作させることで、低圧側電源から高圧側電源へ電力を供給する。昇圧動作時は、低圧側のスイッチング素子のON状態にすることで、低圧側バッテリのエネルギーを低圧側にある平滑リアクトルに蓄える期間と、低圧側のスイッチング素子のOFF状態にすることで、低圧側バッテリのエネルギーを高圧側へ送る期間を設けている。前述動作により、低圧側から高圧側へ電力が供給される。
【０００６】
しかし、高圧側にある共振リアクトルや、トランスの漏れインダクタンスにより、低圧側のスイッチング素子をOFF状態にした瞬間、平滑リアクトルに蓄積されたエネルギーが、共振リアクトルや、トランスの漏れインダクタンスにより、高圧側へ伝達されず、低圧側のスイッチング素子にエネルギーが印加されていた。この瞬間に低圧側のスイッチング素子の両端に大きなサージ電圧が発生していた。これにより、スイッチング素子の素子耐圧を増加させる必要があった。一般的に、素子耐圧が大きくなると素子のオン抵抗が大きくなるため、素子耐圧の増加は、DC-DCコンバータの素子数の増加、素子損失の増加によりDC-DCコンバータの高効率・小型・低コスト化の妨げとなっていた。
【０００７】
そこで、低圧側のスイッチング素子のサージ電圧を抑制する回路構成が特開2012−110108号公報（特許文献2）に開示されている。これは、低圧側のチョークリアクトルにサージ電圧抑制回路を追加することで、平滑リアクトルに起因するサージ電圧を低減している。前述回路により、サージ電圧を低減することで、低圧側のスイッチング素子に低耐圧の素子が使用可能となり、素子損失が低減されるため、高効率なDC-DCコンバータが提供される。
【先行技術文献】
【特許文献】
【０００８】
【特許文献１】特開2002−165448号公報
【特許文献２】特開2012−110108号公報
【発明の概要】
【発明が解決しようとする課題】
【０００９】
ところで、上述の特許文献２に記載の電力変換装置は、サージ電圧抑制回路が追加されるため、双方向DC-DCコンバータの小型・低コスト化の妨げとなってしまう問題があった。
【００１０】
本発明の目的は、大型化やコスト増大を抑制しながら高効率な双方向DC-DCコンバータおよびこれを備えた電源システムを提供することにある。
【課題を解決するための手段】
【００１１】
本発明に係る電力変換装置は、1次巻線と2次巻線を磁気結合するトランスと、第1の電源及び前記1次巻線に対して電気的に並列接続される第1のスイッチング回路と、第2の電源及び前記2次巻線に対して電気的に並列接続される第2のスイッチング回路と、前記第1のスイッチング回路及び前記第2スイッチング回路を制御する制御回路と、を備えた双方向DC-DCコンバータであって、前記制御手段は前記トランスを介して前記第2の電源から前記第1の電源ヘ電力を送る前に、前記第1の電源から電力を供給して前記1次巻線の電圧を上昇させるように前記第1のスイッチング回路を制御する。
【発明の効果】
【００１２】
本発明によれば、双方向DC-DCコンバータの昇圧動作時におけるスイッチング素子に印加されるサージ電圧を抑制し、大型化やコスト増大を抑制した高効率な双方向DC-DCコンバータを提供可能である。
【図面の簡単な説明】
【００１３】
【図１】本発明の実施例1による双方向DC-DCコンバータの回路構成図。
【図２】本発明の実施例2による双方向DC-DCコンバータの回路構成図。
【図３（ａ）】本発明の実施例2による双方向DC-DCコンバータの順送電時の動作を説明する回路図。
【図３（ｂ）】本発明の実施例2による双方向DC-DCコンバータの順送電時の動作を説明する回路図。
【図３（ｃ）】本発明の実施例2による双方向DC-DCコンバータの順送電時の動作を説明する回路図。
【図３（ｄ）】本発明の実施例2による双方向DC-DCコンバータの順送電時の動作を説明する回路図。
【図４（ａ）】本発明の実施例2による双方向DC-DCコンバータの逆送電時の動作を説明する回路図。
【図４（ｂ）】本発明の実施例2による双方向DC-DCコンバータの逆送電時の動作を説明する回路図。
【図４（ｃ）】本発明の実施例2による双方向DC-DCコンバータの逆送電時の動作を説明する回路図。
【図４（ｄ）】本発明の実施例2による双方向DC-DCコンバータの逆送電時の動作を説明する回路図。
【図４（ｅ）】本発明の実施例2による双方向DC-DCコンバータの逆送電時の動作を説明する回路図。
【図５】本発明の実施例2による双方向DC-DCコンバータの逆送電時のスイッチング素子のゲート信号波形図。
【図６】本発明の実施例2による双方向DC-DCコンバータの逆送電時の電圧・電流波形図。
【図７】本発明の実施例3による双方向DC-DCコンバータの順送電時の動作を説明する回路図。
【図８（ａ）】本発明の実施例3による双方向DC-DCコンバータの逆送電時の動作を説明する回路図。
【図８（ｂ）】本発明の実施例3による双方向DC-DCコンバータの逆送電時の動作を説明する回路図。
【図８（ｃ）】本発明の実施例3による双方向DC-DCコンバータの逆送電時の動作を説明する回路図。
【図８（ｄ）】本発明の実施例3による双方向DC-DCコンバータの逆送電時の動作を説明する回路図。
【図８（ｅ）】本発明の実施例3による双方向DC-DCコンバータの逆送電時の動作を説明する回路図。
【図８（ｆ）】本発明の実施例3による双方向DC-DCコンバータの逆送電時の動作を説明する回路図。
【図９】本発明の実施例3による双方向DC-DCコンバータの逆送電時のスイッチング素子のゲート信号波形図。
【図１０（ａ）】本発明の実施例4による双方向DC-DCコンバータの逆送電時の動作を説明する回路図。
【図１０（ｂ）】本発明の実施例4による双方向DC-DCコンバータの逆送電時の動作を説明する回路図。
【図１０（ｃ）】本発明の実施例4による双方向DC-DCコンバータの逆送電時の動作を説明する回路図。
【図１０（ｄ）】本発明の実施例4による双方向DC-DCコンバータの逆送電時の動作を説明する回路図。
【図１０（ｅ）】本発明の実施例4による双方向DC-DCコンバータの逆送電時の動作を説明する回路図。
【図１０（ｆ）】本発明の実施例4による双方向DC-DCコンバータの逆送電時の動作を説明する回路図。
【図１０（ｇ）】本発明の実施例4による双方向DC-DCコンバータの逆送電時の動作を説明する回路図。
【図１１】本発明の実施例4による双方向DC-DCコンバータの逆送電時のスイッチング素子のゲート信号波形図。
【図１２】本発明の実施例1~4の双方向DC-DCコンバータの回路構成図の一例。
【図１３】本発明の実施例1~4の双方向DC-DCコンバータの回路構成図の一例。
【図１４】本発明の実施例1~4の双方向DC-DCコンバータの回路構成図の一例。
【図１５】本発明の双方向DC-DCコンバータを用いた実施例5を示す図。
【発明を実施するための形態】
【００１４】
以下、図面を参照して、本発明に係る電力変換装置の実施の形態について説明する。なお、直流電源V1から直流電源V2へ電力を伝送することを順送電と呼称し、直流電源V2から直流電源V1へ電力を伝送することを逆送電と呼称する。
【００１５】
各図において同一要素については同一の符号を記し、重複する説明は省略する。本発明は以下の実施形態に限定されることなく、本発明の技術的な概念の中で種々の変形例や応用例をもその範囲に含むものである。
【００１６】
（第1の実施形態）
（回路構成）
図1は、本発明の実施例1による双方向DC-DCコンバータの回路構成図である。本実施形態における双方向DC-DCコンバータは、直流電源V1と直流電源V2との間に接続され、直流電源V1と直流電源V2との間で電力の授受を行う。直流電源V1には負荷R1が並列接続され、直流電源V2には負荷R2が並列接続されている。
【００１７】
図1において、平滑コンデンサC1は直流電源V1に並列接続され、平滑コンデンサC2は直流電源V2に並列接続されている。第1のスイッチング回路の直流端子は平滑コンデンサC1に接続され、第2のスイッチング回路の直流端子は平滑コンデンサC2に接続される。
【００１８】
第1のスイッチング回路11の交流端子には1次巻線N1が接続され、第2のスイッチング回路12の交流端子には2次巻線N2が接続されている。トランス2は、1次巻線N1と2次巻線N2とを磁気結合している。
【００１９】
第1のスイッチング回路11と、第2のスイッチング回路12は、制御手段1によって制御される。制御手段1には、電圧センサ21と電圧センサ22及び電流センサ31と電流センサ32が接続されている。なお、電圧センサ21、22および電流センサ31、32を用いなくてもよい。
【００２０】
（順送電）
実施例1による双方向DC-DCコンバータの順送電時の動作を説明する。制御手段1は、直流電源V1より、第1のスイッチング回路11をスイッチング動作させ、１次巻線N1に交流電圧を印加する。第２のスイッチング回路12は、2次巻線N2に生じた誘起電圧を整流し、直流電源V2に電力を供給する。
【００２１】
（逆送電）
次に、実施例1における双方向DC-DCコンバータの逆送電時の動作を説明する。制御手段1は、直流電源V2より、第2のスイッチング回路12をスイッチング動作させ、2次巻線N2に交流電圧を印加する。第1のスイッチング回路11は、1次巻線N1に生じた誘起電圧を整流し、直流電源V1に電力を供給する。
【００２２】
さらに、制御手段1は、第2のスイッチング回路12が、スイッチング動作により2次巻線N2に交流電圧を印加する前に、直流電源V1から電力を供給して1次巻線N1の電圧を上昇させるように第1のスイッチング回路11を制御する。
【００２３】
（本実施形態の効果）
このように、逆送電時は、第2のスイッチング回路12が2次巻線N2に交流電圧を印加する前に、第1のスイッチング回路11を制御することで、直流電源V1から第1のスイッチング回路11に電力を供給される。そのため、第2のスイッチング回路12が、スイッチング動作により2次巻線N2に交流電圧を印加した際に、第1のスイッチング回路11と第2のスイッチング回路12の電力差が低減さるため、第1のスイッチング回路11と第2のスイッチング回路12の電力差による第2のスイッチング回路12に発生するサージ電圧を抑制しながら、直流電源V2から直流電源V1への逆送電が可能である。
【００２４】
本実施系形態によれば、双方向DC-DCコンバータの逆送電時におけるスイッチング回路に印加されるサージ電圧を抑制し、高効率・小型・低コストな双方向DC-DCコンバータを提供可能である。
【００２５】
（第2の実施形態）
（回路構成）
図2は、本発明の実施例2による双方向DC-DCコンバータの回路構成図である。第1の実施形態において付した符号と同一の符号は、同一の機能を有する。
【００２６】
スイッチング素子H1とスイッチング素子H2は、互いに直列接続されて第1のスイッチングレッグを構成し、平滑コンデンサC1に接続される。スイッチング素子H3、スイッチング素子H4は、互いに直列接続されて第2のスイッチングレッグを構成し、平滑コンデンサC1に接続される。
【００２７】
スイッチング素子H1とスイッチング素子H2の直列接続点と、スイッチング素子H3とスイッチング素子H4の直列接続点との間に、1次巻線N11と共振リアクトルLrとが直列接続されている。
【００２８】
トランス2は、1次巻線N11と2次巻線N21及び2次巻線N22とを磁気結合している。2次巻線N21の一端と2次巻線N22の一端とが接続される。2次巻線N21の他端はスイッチング素子S1の一端に接続される。2次巻線N22の他端はスイッチング素子S2の一端に接続される。スイッチング素子S1の他端とスイッチング素子S2の他端とが、平滑コンデンサC2の一端に接続される。2次巻線N21、N22の接続点は、平滑リアクトルLを介して平滑コンデンサC2の他端に接続される。
【００２９】
スイッチング素子H1ないしH4、スイッチング素子S1とスイッチング素子S2には、それぞれダイオードDH1ないしDH4、ダイオードDS1とダイオードDS2が接続されている。ここで、これらのスイッチング素子として、Si-MOSFETやSiC-MOSFETを使用した場合は、ダイオードとしてMOSFETのボディダイオードを利用することができる。
【００３０】
スイッチング素子H1ないしH4、S1、S2は、制御手段1によって制御される。制御手段1には、電圧センサ21と電圧センサ22及び電流センサ31と電流センサ32が接続されている。なお、電圧センサ21と電圧センサ22およぶ電流センサ31と電流センサ32をすべて用いなくてもよい。
【００３１】
（順送電）
図3(a)ないし 図3 (d)は、実施例2における双方向DC-DCコンバータの順送電時の動作を説明する回路図である。以下、この図3(a)ないし 図3 (d)を参照しながら順送電時の動作を詳細に説明する。だだし、図3において、図3 (a)ないし 図3 (d)のそれぞれはモードa~dに対応する。
【００３２】
(モードa)
図3 (a)に示されるように、モードaでは、スイッチング素子H1、H4がオン状態、スイッチング素子H2、H3がオフ状態であり、直流電源V1の電圧が、スイッチング素子H1、H4、共振リアクトルLrを介して1次巻線N1に印加されている。
【００３３】
スイッチング素子S2はオフ状態であり、2次巻線N2に生じた電圧が、ダイオードDS1、平滑リアクトルLを介して、直流電源V2にエネルギーが供給される。
【００３４】
この時、スイッチング素子S1、S2として、MOSFETを用いる場合は、スイッチング素子S1をオン状態とすれば、ダイオードDS1に流れる電流をスイッチング素子S1へ分流することで損失を低減できる場合がある。このように、MOSFETと逆並列接続されたダイオード、またはMOSFETのボディダイオードに、ダイオードの順方向電流が流れるとき、このMOSFETをオン状態として損失を低減することを、以後同期整流と呼称する。
【００３５】
(モードb)
図3 (b)に示されるように、スイッチング素子H4をオフすると、スイッチング素子H4を流れていた電流は、ダイオードDH3、スイッチング素子H1、共振リアクトルLr、1次巻線N1へ流れる。この時、スイッチング素子H3をオンさせる。
【００３６】
このとき、2次巻線N21に流れていた電流は減少し、2次巻線N22に流れる電流が、ダイオードDS2を介して流れる。この時にスイッチング素子S2をオンすれば同期整流となる。平滑リアクトルLに蓄えられたエネルギーは直流電源V2に供給される。
【００３７】
(モードc)
図3 (c)に示されるように、スイッチング素子H1がオフすると、スイッチング素子H1を流れていた電流は、直流電源V1、ダイオードDH2、共振リアクトルLr、1次巻線N1、スイッチング素子H3またはダイオードDH3へ流れる。この時、スイッチング素子H2をオンすれば同期整流となる。共振リアクトルLrには、直流電源V1の電圧が印加され、この電流は減少していく。
【００３８】
(モードd)
図3 (d)に示されるように、スイッチング素子H2、H3がオン状態であるから、共振リアクトルLrの電流がゼロに達した後は、逆向きにこの電流が増加していく。これに伴い、ダイオードDS1またはスイッチング素子S1と2次巻線N21に流れる電流は減少し、ダイオードDS2またはスイッチング素子S2と2次巻線N22に流れる電流は増加していく。2次巻線N21に流れる電流がゼロになる前に、スイッチング素子S1をオフ状態にする。
【００３９】
このモードdはモードaの対称動作である。以降、モードb~dの対称動作の後、モードaに戻るため容易に理解できると考えるので、詳細な説明は省略する。
【００４０】
（逆送電）
図4(a)ないし図4(e)は、実施例2における双方向DC-DCコンバータの逆送電時の動作を説明する回路図である。また、図5は実施例2による双方向DC-DCコンバータの逆送電時のスイッチング素子のゲート信号波形図である。以下、この図4(a)ないし図4(e)、図5を参照しながら逆送電時の動作を詳細に説明する。だだし、図4において、(a)~(e)は図5の(a)~(e)の期間に対応しており、以下のモードa~eに対応する。
【００４１】
(モードa)
図4 (a)に示されるように、モードaでは、スイッチング素子S1、S2がオン状態、直流電源V2の電圧が、2次巻線N21、N22、スイッチング素子S1、S2を介して、平滑リアクトルLに印加され、直流電源V2のエネルギーを平滑リアクトルLに蓄積している。スイッチング素子H1~ H4はオフ状態であり、スイッチング素子S1、S2がオン状態であるため、1次巻線N1に電圧が印加されず、共振リアクトルLrの電流はゼロである。
【００４２】
(モードb)
図4 (b)に示されるように、スイッチング素子H1、H4をオンすると、スイッチング素子H4、直流電源V1、スイッチング素子H1を介して、共振リアクトルLrと1次巻線N1に電流が流れる。この時、2次巻線N21、N22にはそれぞれ逆向きに直流電源V2が印加されるため、1次巻線N1の電圧はゼロである。そのため、直流電源V1の電圧は、共振リアクトルLrに印加される。
【００４３】
(モードc)
図4 (c)に示されるように、スイッチング素子H1、H4をオフすると、共振リアクトルLrは電流を流し続けるため、ダイオードDH3、直流電源V1、ダイオードDH2を介して、共振リアクトルLrに電流が流れる。
【００４４】
(モードd)
図4 (d)に示されるように、スイッチング素子S1をオフすると、2次巻線N22に直流電源V2の電圧が印加され、共振リアクトルLrに電流が増加していく。また、平滑リアクトルLに蓄積されたエネルギーは放出されていく。この時、モードbにより、共振リアクトルLrに電流が流れているため、モードdで共振リアクトルのLrの電流を増加させる電流量が軽減され、スイッチング素子S1をオフする際の、スイッチング素子S1に印加されるサージ電圧が軽減される。なお、モードcとモードdは同一期間でもよい。
【００４５】
(モードe)
図4 (e)に示されるように、スイッチング素子S1をオンすると、2次巻線N21、N22に直流電源V2の電圧がそれぞれ逆向きに印加されるため、1次巻線N1に印加される電圧が生じなくなり、共振リアクトルLrの電流は減少していき、やがてゼロとなる。
【００４６】
また、モードaと同様に、直流電源V2のエネルギーを平滑リアクトルLに蓄積している。
【００４７】
このモードeはモードaの対称動作である。以降、モードb~eの対称動作の後、モードaに戻るため、容易に理解できると考え、詳細な説明は省略する。
【００４８】
（実施例の効果）
以上、説明したように、逆送電時は、スイッチング素子H1、H4をオンすると、スイッチング素子H4、直流電源V1、スイッチング素子H1を介して、共振リアクトルLrと1次巻線N1に電流が流れる。この時、2次巻線N21、N22にはそれぞれ逆向きに直流電源V2が印加されるため、1次巻線N1の電圧はゼロである。そのため、直流電源V1の電圧は、共振リアクトルLrに印加される。
【００４９】
さらにスイッチング素子S1をオフすると、2次巻線N22に直流電源V2の電圧が印加され、共振リアクトルLrに電流が増加していく。スイッチング素子S1をオフする際に、共振リアクトルLrに電流を流しているため、共振リアクトルLrにエネルギーが蓄積されるため、スイッチング素子S1をオフした際、平滑リアクトルLのエネルギーが、スイッチング素子S1に印加されることなく、直流電源V1へ電力が供給される。スイッチング素子S2についても同様である。
【００５０】
よって、スイッチング素子S1、S2のサージ電圧の発生を抑制しながら、直流電源V2から直流電源V1への逆送電が可能である。
【００５１】
図6に実施例2による双方向DC-DCコンバータの逆送電時の電圧・電流波形図を示す。説明のため、モードb、cを設けない場合も記載している。モードb、cを設けない場合、モードdで共振リアクトルLr電流がゼロであるため、スイッチング素子S1をオフした際、平滑リアクトルLのエネルギーが、スイッチング素子S1に印加されるため、大きなサージ電圧(最大188.4V)が発生していた。
【００５２】
一方、本実施形態のようにモードb、cを設けた場合、モードdで共振リアクトルLr電流がスイッチングH1、H4がオンしていた時間幅分、電流が流れている。そのため、スイッチング素子S1をオフした際、平滑リアクトルLのエネルギーが、スイッチング素子S1に印加されることなく、直流電源V1へ電力が供給されるため、サージ電圧を抑制(最大94V)することが可能である。
【００５３】
本実施形態によれば、双方向DC-DCコンバータの逆送電時におけるスイッチング素子に印加されるサージ電圧を抑制し、高効率・小型・低コストな双方向DC-DCコンバータを提供可能である。
【００５４】
また、実施例2では、電圧形フルブリッジ回路と電流形センタタップ回路の組合せとしたが、電圧形プッシュプル回路、図12に示すアクティブクランプ付き電流形センタタップ回路やその他サージ吸収回路、図13に示す電圧形フルブリッジ回路とカレントダブラ回路、図14に示す電圧形フルブリッジ回路と電流形フルブリッジ回路の組合せでも同様の構成、制御、効果を有することは当然である。
【００５５】
（第3の実施形態）
（回路構成）
図7は、本発明の実施例3による双方向DC-DCコンバータの回路構成図である。第1の実施形態において付した符号と同一の符号は、同一の機能を有する。第1の実施形態において付した符号と同一の符号は、同一の機能を有する。
【００５６】
スイッチング素子H1、H2を直列接続した第1のスイッチングレッグは、ダイオードD0を介して平滑コンデンサC1に接続される。このダイオードD0は、第1のスイッチングレッグから直流電源V1へは電力を送り、直流電源V1から第1のスイッチングレッグへ送らない向きに接続され、ダイオードD0にはスイッチSWが並列接続されている。スイッチング素子H3、H4を直列接続した第2のスイッチングレッグは平滑コンデンサC1に接続される。スイッチング素子H1、H2の直列接続点と、スイッチング素子H3、H4の直列接続点との間に、1次巻線N1、共振リアクトルLrとが直列接続されている。
【００５７】
その他構成は、図4、7より実施例2と同様であるため、省略する。
【００５８】
（順送電）
順送電は、スイッチSWをオン状態に保つ。これにより、ダイオードD0の両端は短絡されるため、第1のスイッチングレッグおよび第2のスイッチングレッグの直流端子は、ダイオードD0を介さず、直接平滑コンデンサC1に接続された場合と同様の状態となる。この状態は、実施例2の回路構成と同様であり、スイッチング動作も同様である。よって、順伝送時の動作は実施例2と同様であるため省略する。
【００５９】
（逆送電）
図8(a)ないし 図8 (f)は、実施例3における双方向DC-DCコンバータの逆送電時の動作を説明する回路図である。また、図9は実施例3による双方向DC-DCコンバータの逆送電時のスイッチング素子のゲート信号波形図である。以下、この図8(a)ないし 図8 (f)、図9を参照しながら逆送電時の動作を詳細に説明する。だだし、図8(a)ないし 図8 (f)において、それぞれ(a)~(f)の期間に対応しており、以下のモードa~fを表す。
【００６０】
(モードa)
図8(a)に示されるように、モードaでは、スイッチング素子S1、S2がオン状態、直流電源V2の電圧が、2次巻線N21、N22、スイッチング素子S1、S2を介して、平滑リアクトルLに印加され、直流電源V2のエネルギーを平滑リアクトルLに蓄積している。スイッチング素子H1、H4がオン状態、スイッチング素子H2、H3がオフ状態であり、共振リアクトルLrには、ダイオードDH2、DH3と、スイッチング素子H1、H4、1次巻線N1を通る電流が流れている。この時、スイッチング素子H1~H4としてMOSFETを用いている場合は、スイッチング素子H2、H3をオン状態にすれば同期整流である。
【００６１】
(モードb)
図8(b)に示されるように、スイッチング素子H1、H4、スイッチSWをオンすると、スイッチング素子H4、スイッチSW、直流電源V1、スイッチング素子H1を介して、共振リアクトルLrと1次巻線N1に電流が流れる。この時、2次巻線N21、N22にはそれぞれ逆向きに直流電源V2が印加されるため、1次巻線N1の電圧はゼロである。そのため、直流電源V1の電圧は、共振リアクトルLrに印加される。
【００６２】
(モードc)
図8(c)に示されるように、スイッチング素子H1、H4、スイッチSWをオフすると、共振リアクトルLrは電流を流し続けるため、ダイオードDH3、直流電源V1、ダイオードD0、ダイオードDH2を介して、共振リアクトルLrに電流が流れる。
【００６３】
(モードd)
図8(d)に示されるように、スイッチング素子S1をオフすると、2次巻線N22に直流電源V2の電圧が印加され、共振リアクトルLrに電流が増加していく。また、平滑リアクトルLに蓄積されたエネルギーは放出されていく。この時、モードbにより、共振リアクトルLrに電流が流れているため、モードdで共振リアクトルLrの電流を増加させる電流量が軽減されるため、スイッチング素子S1をオフする際の、スイッチング素子S1に印加されるサージ電圧が軽減される。なお、モードcとモードdは同一期間でもよい。
【００６４】
(モードe)
図8(e)に示されるように、スイッチング素子S1をオンすると、2次巻線N21、N22に直流電源V2の電圧がそれぞれ逆向きに印加されるため、1次巻線N1に印加される電圧が生じない。スイッチング素子H2、H3がオン状態、スイッチSWがオフ状態なので、共振リアクトルLrには、直流電源V1の電圧が印加されるため、共振リアクトルLrの電流は減少していく。共振リアクトルLrの電流がゼロになると、ダイオードD0が逆導通し、共振リアクトルLrには、モードdとは逆向きの電流が流れる。
【００６５】
また、モードaと同様に、直流電源V2のエネルギーを平滑リアクトルLに蓄積している。
【００６６】
(モードf)
図8(f)に示されるように、ダイオードD0が逆回復すると、このダイオードD0の導通中に蓄積された共振リアクトルLrの電流は、ダイオードDH1、DH4を導通し、ダイオードDH1、DH4、1次巻線N1、スイッチング素子H2、H3を流れる。この時、スイッチング素子H1~H4としてMOSFETを用いている場合は、スイッチング素子H1、H4をオン状態にすれば同期整流である。
【００６７】
また、モードa、eと同様に、直流電源V2のエネルギーを平滑リアクトルLに蓄積している。
【００６８】
このモードfはモードaの対称動作である。以降、モードb~fの対称動作の後、モードaに戻るため容易に理解できると考えるので、詳細な説明は省略する。
【００６９】
（実施例の効果）
以上、説明したように、本実施形態は、実施例2と同様にスイッチング素子S1、S2のサージ電圧の発生を抑制しながら、直流電源V2から直流電源V1への逆送電が可能であるとともに、ダイオードD0と、ダイオードに並列接続されたスイッチSWを用いることで、モードa、fにおいて同期整流動作が可能となる。スイッチング素子をオン状態にする同期整流動作は、ダイオード整流に比べ導通損失を低減することが可能であり、双方向DC-DCコンバータのさらなる高効率化を実現できる。
【００７０】
本実施形態によれば、双方向DC-DCコンバータの逆送電時におけるスイッチング素子に印加されるサージ電圧を抑制し、高効率・小型・低コストな双方向DC-DCコンバータを提供可能である。
【００７１】
また、実施例3では、電圧形フルブリッジ回路と電流形センタタップ回路の組合せとしたが、電圧形プッシュプル回路、図12に示すアクティブクランプ付き電流形センタタップ回路やその他サージ吸収回路、図13に示す電圧形フルブリッジ回路とカレントダブラ回路、図14に示す電圧形フルブリッジ回路と電流形フルブリッジ回路の組合せでも同様の構成、制御、効果を有することは当然である。
【００７２】
（第4の実施形態）
（回路構成）
図10(a)ないし図10(g)は、本発明の実施例4による双方向DC-DCコンバータの回路構成図及び逆送電時の動作を説明する回路図である。本実施形態における電力変換装置は、回路構成は実施例3と同様であるため省略する。
【００７３】
（順送電）
順送電動作は、実施例3と同様であるため省略する。
【００７４】
（逆送電）
図11は実施例4による双方向DC-DCコンバータの逆送電時のスイッチング素子のゲート信号波形図である。以下、この図10(a)ないし図10(g)と図11を参照しながら逆送電時の動作を詳細に説明する。だだし、図10(a)ないし図10(g)において、(a)~(g)は図11の(a)~(g)の期間に対応しており、以下のモードa~gを表す。
【００７５】
(モードa)
図10(a)に示されるモードaは実施例3のモードaと同様であるため省略する。
【００７６】
(モードb)
図10(b)に示されるモードbは実施例3のモードbと同様であるため省略する。
【００７７】
(モードc)
図10(c)に示されるように、スイッチング素子H1、H4をオフすると、共振リアクトルLrは電流を流し続けるため、ダイオードDH3、直流電源V1、スイッチSW、ダイオードDH2を介して、共振リアクトルLrに電流が流れる。
【００７８】
(モードd)
図10(d)に示されるように、スイッチング素子S1をオフすると、2次巻線N22に直流電源V2の電圧が印加され、共振リアクトルLrに電流が増加していく。また、平滑リアクトルLに蓄積されたエネルギーは放出されていく。この時、モードbにより、共振リアクトルLrに電流を流しているため、モードdで共振リアクトルのLrの電流を増加させる電流量が軽減されるため、スイッチング素子S1をオフする際の、スイッチング素子S1に印加されるサージ電圧が軽減される。スイッチSWがオン状態なので、電流はスイッチSWを流れる。スイッチSW にIGBTなど負方向電流が流せないデバイスを使用する場合は、電流はダイオードD0を流れる。なお、モードcとモードdは同一期間でもよい。
【００７９】
(モードe)
図10(e)に示されるように、スイッチSWをオフすると、スイッチSWを流れていた電流はダイオードD0に転流する。
【００８０】
(モードf)
図10(f)に示されるモードfは実施例3のモードeと同様であるため省略する。
【００８１】
(モードg)
図10(g)に示されるモードgは実施例3のモードfと同様であるため省略する。
【００８２】
このモードgはモードaの対称動作である。以降、モードb~gの対称動作の後、モードaに戻るため容易に理解できると考えるので、詳細な説明は省略する。
【００８３】
（実施例の効果）
以上、説明したように、本実施形態は実施例3と同様にスイッチング素子S1、S2のサージ電圧の発生を抑制しながら、直流電源V2から直流電源V1への逆送電が可能であるとともに、ダイオードD0と、ダイオードに並列接続されたスイッチSWを用いることで、モードa、fにおいて同期整流動作が可能となる。スイッチング素子をオン状態にする同期整流動作は、ダイオード整流に比べ導通損失を低減することが可能であり、双方向DC-DCコンバータのさらなる高効率化を実現できる。さらに、スイッチSWが、IGBTなどオンオフ動作の遅い素子を使用した場合でも、スイッチング素子H1~H4をMOSFETなど高速スイッチング動作が可能な素子を使用することで、本発明の実施例4を実現可能である。よって、スイッチSWのデバイス選択肢が増大する。
【００８４】
本実施形態によれば、双方向DC-DCコンバータの逆送電時におけるサージ電圧を抑制し、高効率・小型・低コストな双方向DC-DCコンバータを提供することが可能である。
【００８５】
また、実施例4では、電圧形フルブリッジ回路と電流形センタタップ回路の組合せとしたが、電圧形プッシュプル回路、図12に示すアクティブクランプ付き電流形センタタップ回路やその他サージ吸収回路、図13に示す電圧形フルブリッジ回路とカレントダブラ回路、図14に示す電圧形フルブリッジ回路と電流形フルブリッジ回路の組合せでも同様の構成、制御、効果を有することは当然である。
【００８６】
（第5の実施形態）
（回路構成）
図15は、本発明の実施例5による双方向DC-DCコンバータの回路構成図である。本実施例は、実施例1から実施4における双方向DC-DCコンバータの使用方法に関するものである。なお、双方向DC-DCコンバータの高圧側をA側、低圧側をB側とする。回路構成は、モータ駆動用インバータなどのHV系機器102の一端が双方向DC-DCコンバータ101のA側の一端に接続され、HV系機器102の他端が双方向DC-DCコンバータ101のA側の他端に接続される。高圧バッテリ104の一端は、双方向DC-DCコンバータ101のA側の一端に接続され、高圧バッテリ104の他端は、リレー106を介して、双方向DC-DCコンバータ101のA側の他端に接続される。低圧バッテリ105の一端は、双方向DC-DCコンバータ101のB側の一端に接続され、低圧バッテリ105の他端は、双方向DC-DCコンバータ101のB側の他端に接続される。エアコンなどの補機機器103の一端は双方向DC-DCコンバータのB側の一端に接続され、補機機器103の他端は双方向DC-DCコンバータのB側の他端に接続されている。制御手段1は、双方向DC-DCコンバータのスイッチング動作や、電力の送電方向、電力量などを制御している。なお、リレーはなくてもよい。
第5の実施形態において、以下の順送電動作と逆送電動作がある。
【００８７】
（順送電）
高圧バッテリ104から、双方向DC-DCコンバータを用いて、低圧バッテリ105の充電および補機機器103に電力を供給している。なお、高圧バッテリ104のみでなく、HV系機器102からの電力を用いてもよい。双方向DC-DCコンバータの動作は、例えば実施例2のような回路構成および制御構成である。
【００８８】
（逆送電）
低圧バッテリ105から、双方向DC-DCコンバータを用いて、高圧バッテリ104の充電およびHV系機器102に電力を供給している。なお、低圧バッテリ105のみでなく、補機機器103からの電力を用いてもよい。双方向DC-DCコンバータの動作は、例えば実施例2のような回路構成および制御構成である。
【００８９】
上記、双方向DC-DCコンバータによる順送電動作および逆送電動作により、双方向に電力変換を行うことが可能なため、車両の電源システムの設計自由度を増すことができる。さらに本発明よる双方向DC-DCコンバータを用いることで、逆送電動作におけるスイッチング素子に印加されるサージ電圧が抑制され、高効率・小型・低コストな双方向DC-DCコンバータを提供可能であり、しいては自動車の高効率・小型・低コスト化が可能となる。
【００９０】
なお、本実施形態においては、電源システムとして自動車に適用した場合を例示したが、これ以外の電源システムへの適用も可能である。
【産業上の利用可能性】
【００９１】
以上、説明したように本発明は、絶縁機能を有する双方向DC-DCコンバータ全般に適用することが可能である。
【符号の説明】
【００９２】
1…制御手段、2…トランス、11…第1のスイッチング回路、12…第2のスイッチング回路、21…電圧センサ、22…電圧センサ、31…電流センサ、32…電流センサ、100…自動車、101…双方向DC-DCコンバータ、102…HV系機器、103…補機機器、104…高圧バッテリ、105…低圧バッテリ、106…リレー、C1…平滑コンデンサ、C2…平滑コンデンサ、L…平滑リアクトル、Lr…共振リアクトル、N1…1次巻線、N2…2次巻線、N11…1次巻線、N21…2次巻線、N22…2次巻線、SW…スイッチ、H1…スイッチング素子、H2…スイッチング素子、H3…スイッチング素子、H4…スイッチング素子、S1…スイッチング素子、S2…スイッチング素子、D0…ダイオード、DH1…ダイオード、DH2…ダイオード、DH3…ダイオード、DH4…ダイオード、DS1…ダイオード、DS2…ダイオード、R1…負荷、R2…負荷、V1…直流電源、V2…直流電源、
【図１】
0006742145.tif 000002
【図２】
0006742145.tif 000003
【図３（ａ）】
0006742145.tif 000004
【図３（ｂ）】
0006742145.tif 000005
【図３（ｃ）】
0006742145.tif 000006
【図３（ｄ）】
0006742145.tif 000007
【図４（ａ）】
0006742145.tif 000008
【図４（ｂ）】
0006742145.tif 000009
【図４（ｃ）】
0006742145.tif 000010
【図４（ｄ）】
0006742145.tif 000011
【図４（ｅ）】
0006742145.tif 000012
【図５】
0006742145.tif 000013
【図６】
0006742145.tif 000014
【図７】
0006742145.tif 000015
【図８（ａ）】
0006742145.tif 000016
【図８（ｂ）】
0006742145.tif 000017
【図８（ｃ）】
0006742145.tif 000018
【図８（ｄ）】
0006742145.tif 000019
【図８（ｅ）】
0006742145.tif 000020
【図８（ｆ）】
0006742145.tif 000021
【図９】
0006742145.tif 000022
【図１０（ａ）】
0006742145.tif 000023
【図１０（ｂ）】
0006742145.tif 000024
【図１０（ｃ）】
0006742145.tif 000025
【図１０（ｄ）】
0006742145.tif 000026
【図１０（ｅ）】
0006742145.tif 000027
【図１０（ｆ）】
0006742145.tif 000028
【図１０（ｇ）】
0006742145.tif 000029
【図１１】
0006742145.tif 000030
【図１２】
0006742145.tif 000031
【図１３】
0006742145.tif 000032
【図１４】
0006742145.tif 000033
【図１５】
0006742145.tif 000034